(57)【要約】      （修正有）【課題】人体に電界を加えて血液循環の改善を図り、高電位の電流を調節して、治療部位に最適化された高電位を供給できるようにした、高電位を用いた微小電流治療器を提供する。【解決手段】治療部位を選択し、周波数レベル及び治療時間を設定する操作部２０；周波数レベルに応じてリレー制御信号及び出力高電位の電流制御信号を発生し、設定時間及び高電圧を監視し、自動で出力を制御する制御部４０；リレー制御信号に応じて商用交流電源を供給又は遮断するリレー部５０；商用交流電源を昇圧して高電位を出力する高電圧出力部６０；高電圧出力部から出力される高電位の電流を調節する電流調節部７０；制御部の制御によって、治療部位情報、出力設定情報、治療時間設定情報及び累積された治療時間情報を格納するメモリ９５；及び治療部位の選択が容易なように治療部位の選択画面をディスプレイする表示部３０を含んで高電位を用いた微小電流治療器を具現する。【選択図】図１
2017158998.tif 000002
【特許請求の範囲】
【請求項１】
高電位を用いた微小電流を発生する装置であって、
商用交流電源を供給する電源部と、
治療部位を選択し、周波数レベル及び治療時間を設定する操作部と、
前記操作部によって設定される周波数レベルに応じてリレー制御信号及び出力高電位の電流制御信号を発生し、設定された時間及び高電圧をリアルタイムで監視し、自動で出力を制御する制御部と、
前記制御部で発生するリレー制御信号に応じて、前記電源部から供給される商用交流電源を供給又は遮断するリレー部と、
前記リレー部から出力される商用交流電源を昇圧して高電位を出力する高電圧出力部と、
前記制御部で発生する電流制御信号に応じて、前記高電圧出力部から出力される高電位の電流を調節する電流調節部と、
前記制御部の制御によって、治療部位情報、出力設定情報、治療時間設定情報及び累積された治療時間情報を格納するメモリと、
前記制御部と連動して治療部位の選択が容易なように治療部位の選択画面をディスプレイする表示部とを含むことを特徴とする、高電位を用いた微小電流治療器。
【請求項２】
前記周波数レベルは、１５Ｈｚ、３０Ｈｚ、６０Ｈｚ、９０Ｈｚ、１８０Ｈｚに対応する周波数であることを特徴とする、請求項１に記載の高電位を用いた微小電流治療器。
【請求項３】
前記制御部は、前記操作部によって選択される治療部位を認識し、認識した治療部位の状態に対応するように電流制御信号を発生することを特徴とする、請求項１に記載の高電位を用いた微小電流治療器。
【請求項４】
前記制御部は、前記操作部を介して入力された治療部位選択信号、時間設定信号、出力レベル設定信号が入力される操作信号入力モジュールと、前記操作信号入力モジュールを介して入力された治療部位選択信号に応じて治療部位を設定する治療部位設定モジュールと、前記治療部位設定モジュールで設定した治療部位及び前記操作信号入力モジュールを介して入力された出力レベル設定信号に応じて出力周波数レベルを設定する出力設定モジュールとを含むことを特徴とする、請求項３に記載の高電位を用いた微小電流治療器。
【請求項５】
前記制御部は、前記操作信号入力モジュールを介して入力された時間設定信号に応じて治療時間を設定する時間設定モジュールと、前記時間設定モジュールで設定した治療時間に基づいて治療時間が終了すると、自動で出力を終了し、高電圧出力部から出力される高圧をリアルタイムで監視して、異常発生時に自動で高電圧出力を終了させる時間ベースの出力制御モジュールとを含むことを特徴とする、請求項４に記載の高電位を用いた微小電流治療器。
【請求項６】
前記制御部は、装備間又は制御部と装備との間の通信状態を監視し、通信障害が発生する場合、前記時間ベースの出力制御モジュールに通信障害状態を通報して出力が自動終了するようにし、同時に、装備の電源をリセットする通信制御モジュールと、設定された治療部位、周波数出力レベル、治療時間、累積治療時間情報の表示を制御する表示制御モジュールと、治療器の異常や故障状態、通信障害状態の発生時に警報の発生を制御する警報制御モジュールとを含むことを特徴とする、請求項５に記載の高電位を用いた微小電流治療器。
【請求項７】
前記電流調節部は、前記制御部で発生する電流調節信号に応じてスイッチング動作を行うスイッチと、前記スイッチの動作に応じて、前記高電圧出力部から出力される高電位の電流を差等調節する複数の電流調節器とを含み、電流調節器は抵抗で構成されることを特徴とする、請求項１に記載の高電位を用いた微小電流治療器。
【請求項８】
前記表示部は、人体を治療するための治療部位をメニューの形態で表示し、前記治療部位は、頭、腰、胸、首、骨盤、腹部、肩、膝、腕、背中、足首、手首のうち少なくともいずれか１つ以上を含むことを特徴とする、請求項１に記載の高電位を用いた微小電流治療器。
【請求項９】
前記電流調節部と前記高電圧出力部との間に介在し、前記高電圧出力部から出力される高電位の電流が予め設定された電流を超える場合、前記高電位の出力を遮断する高圧遮断部を含むことを特徴とする、請求項１に記載の高電位を用いた微小電流治療器。
【請求項１０】
前記制御部の制御によって、治療器の異常や故障状態、通信障害状態の発生時に警報音を発生する警報部を含むことを特徴とする、請求項１に記載の高電位を用いた微小電流治療器。
【発明の詳細な説明】
【技術分野】
【０００１】
本発明は、高電位（Ｈｉｇｈ  Ｅｌｅｃｔｒｉｃ  Ｐｏｔｅｎｔｉａｌ）を用いた微小電流治療器に係り、特に、人体に電界を加えて血液循環の改善を図り、人体の治療のために発生した高電位の電流の調節を通じて治療部位に最適化された高電位を供給できるようにした高電位を用いた微小電流治療器に関する。
【背景技術】
【０００２】
一般に、電位治療器は、生々しい電界を人為的に形成することによって、人体の状態を最適に向上させるためのもので、電気的に高圧の電位差を発生させて人体に間接的に作用させる。すなわち、イオン静電療法で人体に必要なアニオンを電気的に負荷誘導させることによって、人体が電位板に接触する時に周囲に厚いアニオン層が発生する。このように発生したアニオン層の作用によって血液中のミネラルなどが有効に利用されて、血液が酸性化していくことを防止し、弱アルカリ性の血液状態を維持することで、疾病の予防及び抵抗力を増大させるようになる。
【０００３】
例えば、電位治療器は、高圧の電位差を用いて人体の周囲に厚いアニオン層を形成させて細胞の組織機能を活性化し、人体内をイオン化させながら老廃物の排出量を増加させ、新陳代謝機能を促進する。また、酸性化された血液を理想的な弱アルカリ性血液に転換させて各種疾病への抵抗力が強い体質に改善するのに助けとなり、動脈血管壁のコレステロールを除去しながら末梢血管を拡張させて血行を円滑にすることによって、高血圧症状及び糖尿などの慢性疾患を予防し、自律神経を調整して内分泌の調節機能を改善する作用をする。
【０００４】
このような電位治療器は、生々しい電界を人為的に形成するために、高圧を発生する高圧トランスを主に使用する。
【０００５】
従来の電位治療器に対する技術が、韓国登録実用新案公報登録番号２０−０２３６００７号（２００１．１０．０８．広告）（以下、“従来技術１”と略称する）、韓国公開特許公報公開番号１０−２０１０−００３５８６８号（２０１０．０４．０７．公開）（以下、“従来技術２”と略称する）及び韓国公開特許公報公開番号１０−２０１２−００４３７５７号（２０１２．０５．０４．公開）（以下、“従来技術３”と略称する）に開示されている。
【０００６】
開示された従来技術１は、トランスフォーマを用いて高電圧を生成し、電位発生器を用いて高電圧を差等出力し、電子針で前記差等出力された高電圧を用いて痛みの部位に強・中・弱の電圧を印加するようになる。
【０００７】
また、従来技術２は、複数台の電位治療器を設置して使用する場合、それぞれの電位治療器が同一の位相を維持するようにして高圧の電気的ショックの発生などの危険を防止するようにする。
【０００８】
なお、従来技術３は、電位治療装置の構成を単純化し、劣化を防止することができる電位治療装置を提供する。
【０００９】
しかし、前記のような従来技術は、電位治療のための高圧の発生は可能であるが、使用者の治療部位に応じて高電位の電流を選択的に制御できないという欠点があった。
【００１０】
例えば、使用者の治療部位の状態に応じて高電位に含まれる電流量を調節することによって最適の治療効果を図ることができるが、従来技術は、このように高電位に含まれる電流を治療部位の状態に合わせて調節することが不可能であるため、最適の治療効果を得ることが難しかった。
【先行技術文献】
【特許文献】
【００１１】
【特許文献１】韓国登録実用新案公報登録番号２０−０２３６００７号（２００１．１０．０８．広告）
【特許文献２】韓国公開特許公報公開番号１０−２０１０−００３５８６８号（２０１０．０４．０７．公開）
【特許文献３】韓国公開特許公報公開番号１０−２０１２−００４３７５７号（２０１２．０５．０４．公開）
【発明の概要】
【発明が解決しようとする課題】
【００１２】
そこで、本発明は、上記のような従来技術で発生する諸問題を解決するために提案されたもので、人体に電界を加えて血液循環の改善を図り、人体の治療のために発生した高電位の電流の調節を通じて治療部位に最適化された高電位を供給できるようにした、高電位を用いた微小電流治療器を提供することにその目的がある。
【００１３】
本発明の他の目的は、周波数を治療部位の状態に応じて多段階に変化させて深部まで治療できるようにした、高電位を用いた微小電流治療器を提供することである。
【課題を解決するための手段】
【００１４】
上記のような目的を達成するための本発明の好ましい実施例に係る高電位を用いた微小電流治療器は、商用交流電源を供給する電源部；治療部位を選択し、周波数レベル及び治療時間を設定する操作部；前記操作部によって設定される周波数レベルに応じてリレー制御信号及び出力高電位の電流制御信号を発生し、設定された時間及び高電圧をリアルタイムで監視し、自動で出力を制御する制御部；前記制御部で発生するリレー制御信号に応じて、前記電源部から供給される商用交流電源を供給又は遮断するリレー部；前記リレー部から出力される商用交流電源を昇圧して高電位を出力する高電圧出力部；前記制御部で発生する電流制御信号に応じて、前記高電圧出力部から出力される高電位の電流を調節する電流調節部；前記制御部の制御によって、治療部位情報、出力設定情報、治療時間設定情報及び累積された治療時間情報を格納するメモリ；及び前記制御部と連動して治療部位の選択が容易なように治療部位の選択画面をディスプレイする表示部を含むことを特徴とする。
【００１５】
前記において、周波数レベルは、１５Ｈｚ、３０Ｈｚ、６０Ｈｚ、９０Ｈｚ、１８０Ｈｚに対応する周波数であることを特徴とする。
【００１６】
前記において、制御部は、前記操作部によって選択される治療部位を認識し、認識した治療部位の状態に対応するように電流制御信号を発生することを特徴とする。
【００１７】
前記において、制御部は、前記操作部を介して入力された治療部位選択信号、時間設定信号、出力レベル設定信号が入力される操作信号入力モジュール；前記操作信号入力モジュールを介して入力された治療部位の選択信号に応じて治療部位を設定する治療部位設定モジュール；及び前記治療部位設定モジュールで設定した治療部位及び前記操作信号入力モジュールを介して入力された出力レベル設定信号に応じて出力周波数レベルを設定する出力設定モジュールを含むことを特徴とする。
【００１８】
前記において、制御部は、前記操作信号入力モジュールを介して入力された時間設定信号に応じて治療時間を設定する時間設定モジュール；及び前記時間設定モジュールで設定した治療時間に基づいて治療時間が終了すると、自動で出力を終了し、高電圧出力部から出力される高圧をリアルタイムで監視して、異常発生時に自動で高電圧出力を終了させる時間ベースの出力制御モジュールを含むことを特徴とする。
【００１９】
前記において、制御部は、装備間又は制御部と装備との間の通信状態を監視し、通信障害が発生する場合、前記時間ベースの出力制御モジュールに通信障害状態を通報して出力が自動終了するようにし、同時に、装備の電源をリセットする通信制御モジュール；設定された治療部位、周波数出力レベル、治療時間、累積治療時間情報の表示を制御する表示制御モジュール；及び治療器の異常や故障状態、通信障害状態の発生時に警報の発生を制御する警報制御モジュールを含むことを特徴とする。
【００２０】
前記において、電流調節部は、前記制御部で発生する電流調節信号に応じてスイッチング動作を行うスイッチ；及び前記スイッチの動作に応じて、前記高電圧出力部から出力される高電位の電流を差等調節する複数の電流調節器を含むことを特徴とする。
【００２１】
前記において、電流調節器は抵抗で構成されることを特徴とする。
【００２２】
前記において、表示部は、人体を治療するための治療部位をメニューの形態で表示し、前記治療部位は、頭、腰、胸、首、骨盤、腹部、肩、膝、腕、背中、足首、手首のうち少なくともいずれか１つ以上を含むことを特徴とする。
【００２３】
また、本発明の好ましい実施例に係る高電位を用いた微小電流治療器は、前記電流調節部と前記高電圧出力部との間に介在し、前記高電圧出力部から出力される高電位の電流が予め設定された電流を超える場合、前記高電位の出力を遮断する高圧遮断部を含むことを特徴とする。
【００２４】
また、本発明の好ましい実施例に係る高電位を用いた微小電流治療器は、前記制御部の制御によって、治療器の異常や故障状態、通信障害状態の発生時に警報音を発生する警報部を含むことを特徴とする。
【発明の効果】
【００２５】
本発明によれば、高圧トランスから高電圧を誘起させて治療用高電位を発生し、発生した高電位の微小電流の調節が可能であるので、治療部位の状態に最適化された高電位を提供することができる効果がある。
【００２６】
また、本発明によれば、周波数を治療部位の状態に応じて多段階に変化させて高電位が深部まで治療するようにすることによって、ミネラル成分の凝集力を高め、自然治癒力を向上させることができる効果もある。
【００２７】
また、本発明によれば、設定された治療時間、出力電圧、治療器の故障や障害状態、通信障害などをリアルタイムで監視して、異常状態が感知されると、自動で治療器の動作を停止させて安全を図ることできる効果もある。
【図面の簡単な説明】
【００２８】
【図１】本発明の好ましい実施例に係る高電位を用いた微小電流治療器のブロック構成図である。
【図２】図１の制御部の実施例のブロック構成図である。
【図３】図１の表示部に表示される治療部位の選択画面の例示図である。
【図４】本発明において治療部位の選択時、電圧及び治療時間の設定画面の例示図である。
【図５】図１のリレー部の実施例の回路図である。
【図６】図１の高電圧出力部、高圧遮断部及び電流調節部の実施例の回路図である。
【発明を実施するための形態】
【００２９】
以下、本発明の好ましい実施例を添付の図面に基づいて詳細に説明すると、次の通りである。本発明を説明するに先立ち、関連する公知の機能又は構成についての具体的な説明が本発明の要旨を不必要に曖昧にすると判断される場合には、それについての詳細な説明は省略する。
【００３０】
図１は、本発明の好ましい実施例に係る高電位を用いた微小電流治療器のブロック構成図である。
【００３１】
図１に示したように、本発明に係る高電位を用いた微小電流治療器は、電源部１０、操作部２０、表示部３０、制御部４０、リレー部５０、高電圧出力部６０、電流調節部７０、高圧遮断部８０、警報部９０及びメモリ９５を含む。
【００３２】
電源部１０は、入力される商用交流電源（ＡＣ  ２２０Ｖ）を供給し、全波整流を通じて所定の直流電圧にして前記制御部４０に駆動電源を供給する役割を果たす。なお、電源部１０は、リレー部５０、表示部３０、メモリ９５、高電圧出力部６０のように電源が必要な部分にも電源を供給する役割を果たす。
【００３３】
操作部２０は、治療部位を選択し、周波数レベル及び治療時間を設定する役割を果たす。ここで、周波数レベルは、１５Ｈｚ、３０Ｈｚ、６０Ｈｚ、９０Ｈｚ、１８０Ｈｚに対応する周波数であってもよい。上述した周波数レベルは、実験を通じて獲得した、治療のための任意の例示周波数レベルであり、本発明は、例示した周波数レベルに限定されるものではなく、さらに様々な周波数レベルを治療周波数として設定できることは、当該分野に従事する当業者にとっては自明である。
【００３４】
表示部３０は、前記制御部４０と連動して治療部位の選択が容易なように治療部位の選択画面をディスプレイする役割を果たす。このような表示部３０は、人体を治療するための治療部位をメニューの形態で表示することが好ましい。ここで、治療部位は、頭、腰、胸、首、骨盤、腹部、肩、膝、腕、背中、足首、手首のうち少なくともいずれか１つ以上を含むことが好ましい。
【００３５】
制御部４０は、前記操作部２０によって設定される周波数レベルに応じてリレー制御信号及び出力高電位の電流制御信号を発生し、設定された時間及び高電圧をリアルタイムで監視し、自動で出力を制御する役割を果たす。このような制御部４０は、通常のマイクロプロセッサ、マイコン、コントローラ、中央処理装置のような制御装置で具現することが好ましい。そして、制御部４０の内部には、設定される周波数に対応するように電流制御信号を発生するための制御データが格納されたデータ格納装置を含むことが好ましい。
【００３６】
このような制御部４０は、図２に示したように、前記操作部２０を介して入力された治療部位選択信号、時間設定信号、出力レベル設定信号が入力される操作信号入力モジュール４１；前記操作信号入力モジュール４１を介して入力された治療部位の選択信号に応じて治療部位を設定する治療部位設定モジュール４２；前記治療部位設定モジュール４２で設定した治療部位及び前記操作信号入力モジュール４１を介して入力された出力レベル設定信号に応じて出力周波数レベルを設定する出力設定モジュール４３を含む。
【００３７】
なお、前記制御部４０は、前記操作信号入力モジュール４１を介して入力された時間設定信号に応じて治療時間を設定する時間設定モジュール４４；前記時間設定モジュール４４で設定した治療時間に基づいて治療時間が終了すると、自動で出力を終了し、高電圧出力部６０から出力される高圧をリアルタイムで監視し、異常発生時に自動で高電圧の出力を終了させる時間ベースの出力制御モジュール４５を含む。
【００３８】
また、前記制御部４０は、装備間又は制御部４０と装備との間の通信状態を監視し、通信障害が発生する場合、前記時間ベースの出力制御モジュール４５に通信障害状態を通報して出力が自動終了するようにし、同時に、装備の電源をリセットする通信制御モジュール４６；設定された治療部位、周波数出力レベル、治療時間、累積治療時間情報の表示を制御する表示制御モジュール４７；治療器の異常や故障状態、通信障害状態の発生時に警報の発生を制御する警報制御モジュール４８を含む。
【００３９】
リレー部５０は、前記制御部４０で発生するリレー制御信号に応じて、前記電源部１０から供給される商用交流電源を供給又は遮断する役割を果たす。このようなリレー部５０は、図５に示したように、前記制御部４０で発生するリレー制御信号（ＲＥＬＡＹ_ＯＵＴ０〜ＲＥＬＡＹ_ＯＵＴ１０）に応じてスイッチング動作をする複数のスイッチング素子Ｑ１〜Ｑ１１を含む。なお、リレー部５０は、前記複数のスイッチング素子Ｑ１〜Ｑ１１と連動するリレーコイル及びリレースイッチを含むことができる。
【００４０】
高電圧出力部６０は、前記リレー部５０から出力される商用交流電源を昇圧して高電位を出力する役割を果たす。このような高電圧出力部６０は、１次側で商用交流電圧の入力を受け、これを２次側に誘起させて高圧（３，０００Ｖ）を出力する高圧トランスフォーマで構成することが好ましい。ここで、出力しようとする高電位に応じて、高圧トランスフォーマの１次側と２次側の巻線比を設定するようになる。
【００４１】
電流調節部７０は、前記制御部４０で発生する電流制御信号に応じて、前記高電圧出力部６０から出力される高電位の電流を調節する役割を果たす。このような電流調節部７０は、図６に示したように、前記制御部４０で発生する電流調節信号に応じてスイッチング動作を行うスイッチ７１；前記スイッチ７１の動作に応じて、前記高電圧出力部６０から出力される高電位の電流を差等調節する複数の電流調節器Ｒ１〜Ｒ１１を含む。ここで、電流調節器は、抵抗で構成することが好ましい。
【００４２】
高圧遮断部８０は、前記電流調節部７０と前記高電圧出力部６０との間に介在し、前記高電圧出力部６０から出力される高電位の電流が予め設定された電流を超える場合、前記高電位の出力を遮断する役割を果たす。このような高圧遮断部８０は、ヒューズ８１で構成することが好ましい。
【００４３】
警報部９０は、前記制御部４０の制御によって、治療器の異常や故障状態、通信障害状態の発生時に警報音を発生する役割を果たす。警報音の発生は、ブザーのような警報音発生装置を用いることが好ましい。
【００４４】
メモリ９５は、前記制御部４０の制御によって、治療部位情報、出力設定情報、治療時間設定情報及び累積された治療時間情報を格納する役割を果たす。このようなメモリ９５は、デジタル格納装置で具現することが好ましい。
【００４５】
このように構成された本発明に係る高電位を用いた微小電流治療器の動作を、添付の図１乃至図６を参照して詳細に説明すると、次の通りである。
【００４６】
まず、高電位治療器で治療をしようとする使用者は、電源スイッチをオン（ｏｎ）させ、治療器に電源を供給する。電源が供給されると、制御部４０は初期化を行い、通信制御モジュール４６を介して装備間又は装備と制御部４０との間の通信状態を確認する。この確認の結果、いずれか１つの位置でも通信障害が発生すれば、警報制御モジュール４８を介して通信障害に対する警報の発生を制御し、同時に、時間ベースの出力制御モジュール４５を介して高電位出力の発生を終了する。
【００４７】
なお、表示制御モジュール４７を介して表示部３０に通信障害が発生したことを表示する。これによって、使用者は、通信障害が発生したことを認知する。通信障害の発生時に、通信制御モジュール４６は、自動で電源部１０を電源リセットして、電源をオフさせ、次いで、再び電源をオンさせる。一般に、通信障害は、リセットを行えば解決される場合がある。電源リセットの後に再び通信障害を感知し、通信障害が発生した場合、前記段階を再度繰り返して行い、これとは異なり、通信障害が解消された場合、表示制御モジュール４７で、使用者が治療部位、時間及び周波数レベルを設定するようにする表示部３０を介して設定画面を表示する。
【００４８】
図３は、表示部３０にディスプレイされる治療部位の選択画面の例示である。
【００４９】
ここで、参照符号(1)は、治療部位を項目別に分類してメニューの形態で表示したものであり、参照符号(2)は、前の画面に戻るときに使用する以前段階復帰ボタンを示したものであり、参照符号(3)は、男性、女性の性別を選択するための性別選択ボタンである。ここで、男性と女性との間の人体の違いにより、出力周波数レベル（強度）を異ならせることが好ましい。したがって、使用者は、まず、性別を選択し、次いで、治療部位を選択することが好ましい。治療部位の選択は、メニューの形態で分類された治療部位をタッチすることだけで簡単に選択することができる。前記のような方式で治療部位を選択することによって、使用者に治療部位の選択に非常に便利さを与える。
【００５０】
治療部位が選択されると、制御部４０の表示制御モジュール４７の制御によって、表示部３０には、図４のような治療部位による出力電圧及び治療時間の設定画面がディスプレイされる。使用者は、このような画面上で治療時間（使用時間）を設定し、周波数レベル（治療強度）を設定する。ここで、治療時間は、分単位で設定し、周波数レベルの設定は、１５Ｈｚ、３０Ｈｚ、６０Ｈｚ、９０Ｈｚ及び１８０Ｈｚの単位で設定することができる。周波数レベルの設定方式は、−ボタンと＋ボタンをタッチすると、前記予め設定された周波数レベルがアップ又はダウンされる方式で設定することができる。
【００５１】
前記画面上での治療部位の選択、時間の設定及び周波数レベルの設定は、実際に操作部２０を介して操作することと同一であるといえる。操作部２０は、入力装置であって、タッチパネル上で入力装置と見なせばよい。
【００５２】
前記のような過程を通じて、治療部位、治療時間及び周波数レベルを設定すると、制御部４０内の操作信号入力モジュール４１にそれらがそれぞれ入力される。次いで、治療部位設定モジュール４２は、前記操作信号入力モジュール４１から入力された治療部位の選択信号に応じて治療部位を設定し、治療部位設定情報と性別情報を出力設定モジュール４３及び時間ベースの出力制御モジュール４５に伝達する。
【００５３】
なお、出力設定モジュール４３は、前記治療部位設定モジュール４２で設定した治療部位及び前記操作信号入力モジュール４１を介して入力された出力レベル設定信号に応じて出力周波数レベルを設定する。ここで、治療部位と性別による最適の周波数レベルを予め格納し、使用者が選択した出力レベル設定信号に基づいて前記最適の周波数レベルを比較し、最も近接した最適の周波数レベルを設定することが好ましい。例えば、治療部位と性別によって、使用者が設定した周波数レベルよりも最適の周波数レベルを予め実験及び学界の情報に基づいて格納しておく。そして、治療部位、性別及び周波数レベルの設定が行われると、このような情報を総合的に考慮して、予め設定しておいた最適の周波数レベルを取捨選択して使用することができる。周波数レベルに対応する出力電流は、２０ｍＡ、４０ｍＡ、６０ｍＡ、８０ｍＡ、１００ｍＡのような複数の段階のレベルに設定することができる。
【００５４】
なお、時間設定モジュール４４は、前記操作信号入力モジュール４１を介して入力された時間設定信号に応じて治療時間を設定し、治療時間設定情報を前記時間ベースの出力制御モジュール４５に伝達する。
【００５５】
前記時間ベースの出力制御モジュール４５は、使用者の治療部位、性別などによって周波数が設定されると、内部のデータ格納装置に格納された制御データを参照して、前記設定された周波数に対応する電流制御信号を引き出す。そして、引き出した電流制御信号を電流調節部７０に伝達し、同時に、それに対応するリレー制御信号（ＲＥＬＡＹ_ＯＵＴ０〜ＲＥＬＡＹ_ＯＵＴ１０）をリレー部５０に伝達する。
【００５６】
例えば、データ格納装置には、周波数とそれに対応するように電流制御信号をマッピングした制御テーブルを格納する。その後、使用者が操作部２０を介して性別、時間、周波数レベルを選択すると、直ちに制御テーブルを介して周波数レベルに対応する電流制御信号を抽出する。本発明では、便宜上、５個の周波数設定が可能であり、また、設定周波数に応じて１０個の電流制御信号が存在すると仮定する。
【００５７】
実際に周波数設定の数と電流制御信号の数が１対１マッチングされなければ制御することができないが、本発明では、一つの周波数設定によって自由に上下２つの電流制御信号を利用できるようにした。例えば、現在の周波数によって第５電流制御信号が対応していると仮定した状態で、周波数を１段階上昇させると、第６電流制御信号と第７電流制御信号をスイッチング方式で交互に用いる。この場合、使用者に提供される電位の強度は高くなったり低くなったりを繰り返すようになるので、持続的に一つの強度による治療よりは、より効果的な治療を図ることができる。前記での第５電流制御信号、第６電流制御信号及び第７電流制御信号は、図６において、複数の電流調節器のうち対応する電流調節器を選択することを意味する。
【００５８】
ここで、使用者の操作によって設定される周波数レベルは表示部３０を介してディスプレイされ、使用者が容易に現在の周波数レベルを認知するようにする。
【００５９】
一方、前記のように周波数が設定された状態で、治療のための動作スイッチがオン状態に操作されると、電源部１０は、入力される商用交流電源をそのままリレー部５０に供給する。
【００６０】
制御部４０は、動作スイッチがオン状態で動作すると、前記リレー制御信号を発生してリレー部５０を駆動させ、同時に、設定される周波数に対応する電流制御信号を発生して電流調節部７０に伝達する。
【００６１】
前記リレー部５０は、図５に示したように、前記リレー制御信号に応じて特定のスイッチング素子のみがターンオン状態になり、残りのスイッチング素子はターンオフ状態になる。例えば、時間ベースの出力制御モジュール４５は、駆動させようとするリレーに対応するリレー制御信号のみがハイ信号（５Ｖ）を出力し、残りのリレー制御信号はロー信号（０Ｖ）を出力して、所望のリレーのみを駆動させる。リレー部５０は、前記ターンオンされたスイッチング素子と連動してリレーコイル及びリレースイッチが動作して、前記電源部１０から供給される商用交流電源を高電圧出力部６０に供給する。
【００６２】
前記高電圧出力部６０は、１次側に入力される高電圧を、高圧トランスフォーマを用いて２次側に誘起させて高電位を発生する。
【００６３】
このとき、電流調節部７０は、前記制御部４０で発生する電流制御信号に応じてスイッチ７１が動作して、複数の電流調節器のうちの特定の電流調節器を選択するようになる。例えば、時間ベースの出力制御モジュール４５で発生する電流制御信号はスイッチ７１の移動量を決定するようになり、このように決定されるスイッチの移動量に応じて、スイッチ７１は、移動位置が変わって複数の電流調節器のいずれか１つと接続される。このとき、接続されるラインに接続された抵抗（Ｒ）によって、前記高電圧出力部６０から出力される高電位の電流が調節される。ここで、電流調節器は抵抗で具現され、このような抵抗は、電流を調節する役割をするので、複数の抵抗Ｒ１〜Ｒ１１の抵抗値をそれぞれ異ならせる場合、それに対応して出力される高電位の電流量も変わる。例えば、抵抗Ｒ１は１ＭΩ、抵抗Ｒ２は２ＭΩ、抵抗Ｒ３は３ＭΩ、抵抗Ｒ４は４ＭΩ、抵抗Ｒ５は５ＭΩ、抵抗Ｒ６は６ＭΩ、抵抗Ｒ７は７ＭΩ、抵抗Ｒ８は８ＭΩ、抵抗Ｒ９は９ＭΩ、抵抗Ｒ１０は１０ＭΩ、抵抗Ｒ１１は１１ＭΩに設定することができ、これによって、高電位の電流は０．３ｍＡ〜０．０３ｍＡまで差等調節することができる。
【００６４】
このような原理で、プローブから出力される高電位の電流量を、使用者の治療部位の状態に対応して調節することができ、このような微小電流量の調節により最適の治療効果を図ることができる。例えば、使用者の治療部位の状態が、痛みや炎症が激しい場合には、高電位に含まれた電流量を高めて治療効果が上昇するようにし、これとは異なり、使用者の治療部位の状態が、痛みや炎症が弱い場合には、高電位に含まれた電流量を低下させて、使用者に与えられる衝撃を小さくしながらも、治療効果が最適になるようにするものである。
【００６５】
一方、前記時間設定モジュール４４は、設定した治療時間に基づいて治療時間が終了すると、自動で出力を終了する。なお、高電圧出力部６０から出力される高圧をリアルタイムで監視して、異常発生時に自動で高電圧出力を終了させ、警報制御モジュール４８を介して自動終了に対する警報を発生する。警報制御モジュール４８で発生した警報発生信号は警報部９０に伝達され、ブザーのような装置を用いて警報音を送出するようになる。使用者は、このように送出される警報音を認知し、機器の異常や高電圧の異常、通信障害などを認知できるようになる。
【００６６】
なお、表示制御モジュール４７は、高電位治療が始まると、設定された治療部位、周波数出力レベル、治療時間、累積治療時間情報の表示を制御する。それぞれの情報の表示は、表示部３０を介して行うことが好ましい。
【００６７】
また、本発明は、高電位に含まれた電流によって使用者の安全が危険になるか、またはプローブの異常が発生することを防止するために、高圧遮断部８０を適用した。このように適用された高圧遮断部８０は、ヒューズ８１からなり、高電位に含まれた電流が予め設定された電流を超える場合に、ヒューズ８１が自動で切れるようにする。過電流によってヒューズ８１が自動で切れると、高圧の出力が遮断され、人体の安全を図るようになるものである。
【００６８】
本発明は、上述した特定の好ましい実施例に限定されず、特許請求の範囲で請求する本発明の要旨を逸脱することなく、当該発明の属する技術分野における通常の知識を有する者であれば誰でも様々な変形実施が可能であることは勿論であり、そのような変更は、特許請求の範囲の記載の範囲内にあるようになる。
【符号の説明】
【００６９】
１０    電源部
２０    操作部
３０    表示部
４０    制御部
４１    操作信号入力モジュール
４２    治療部位設定モジュール
４３    出力設定モジュール
４４    時間設定モジュール
４５    時間ベースの出力制御モジュール
４６    通信制御モジュール
４７    表示制御モジュール
４８    警報制御モジュール
５０    リレー部
６０    高電圧出力部
７０    電流調節部
８０    高圧遮断部
９０    警報部
９５    メモリ
【図１】
2017158998.tif 000003
【図２】
2017158998.tif 000004
【図３】
2017158998.tif 000005
【図４】
2017158998.tif 000006
【図５】
2017158998.tif 000007
【図６】
2017158998.tif 000008